(57)【特許請求の範囲】
【請求項１】
機械ハウジング（１０）と、該機械ハウジング（１０）に付設されたか、または該機械ハウジング（１０）に一体成形されたハンドグリップ（１１）とを有する手持ち式電動工作機械に用いられるソフトグリップエレメントであって、機械ハウジング（１０）および／またはハンドグリップ（１１）の、工具とは反対の側の後面に、着脱可能に装着された少なくとも１つの剛性的なシェルボディ（１８）と、軟弾性的な材料から成る被覆体（１９）とが設けられており、該被覆体（１９）が、シェルボディ（１８）の、機械ハウジング（１０）もしくはハンドグリップ（１１）とは反対の側の後面をカバーしている形式のものにおいて、前記被覆体（１９）の露出した自由表面に多数の凹部（２０）が含まれており、該凹部（２０）のうちの少なくとも一部の凹部（２０）については、被覆体（１９）とシェルボディ（１８）とを貫通したそれぞれ１つの貫通孔（２１）が設けられていることを特徴とする、手持ち式電動工作機械に用いられるソフトグリップエレメント。
【請求項２】
前記凹部（２０）が、表面全体にわたって均一に分配されて配置されている、請求項１記載のソフトグリップエレメント。
【請求項３】
前記貫通孔（２１）が、前記シェルボディ（１８）の範囲で、前記被覆体（１９）の軟弾性的な材料によってライニングされている、請求項１記載のソフトグリップエレメント。
【請求項４】
前記貫通孔（２１）のうちの少なくとも一部の貫通孔（２１）で、軟弾性的な材料ライニングが、シェルボディ（１８）の表面を超えてつば状に突出して材料つば（１９１）を形成しており、シェルボディ（１８）が該材料つば（１９１）を介してハンドグリップ（１１）に載置されている、請求項３記載のソフトグリップエレメント。
【請求項５】
シェルボディ（１８）とハンドグリップ（１１）との間に、通気性材料から成る層（２２）が配置されており、該層（２２）に、シェルボディ（１８）に形成された前記材料つば（１９１）が支持されている、請求項４記載のソフトグリップエレメント。
【請求項６】
前記層（２２）が交換可能である、請求項５記載のソフトグリップエレメント。
【請求項７】
被覆体（１９）に設けられた前記凹部（２０）が、凹面状の球冠（２５）として形成されている、請求項１から６までのいずれか１項記載のソフトグリップエレメント。
【請求項８】
被覆体（１９）に設けられた前記凹部（２０）が、複数の波谷部（２３）によって形成されており、該波谷部（２３）が、波山部（２４）と交互に被覆体（１９）に加工成形されていて、各波谷部（２３）が、被覆体（１９）の長手方向と、該長手方向に対して直交する横方向とで、それぞれ２つの波山部（２４）の間に埋め込まれている、請求項１から６までのいずれか１項記載のソフトグリップエレメント。
【請求項９】
前記波谷部（２３）と前記波山部（２４）とが、一緒になってほぼ正弦形状を描いている、請求項８記載のソフトグリップエレメント。
【発明の詳細な説明】
【０００１】
背景技術
本発明は、請求項１の上位概念部に記載の形式の、機械ハウジングと、該機械ハウジングに一体成形されたハンドグリップとを有する手持ち式電動工作機械に用いられるソフトグリップエレメントから出発する。
【０００２】
ハンマドリル（打撃穿孔機械）に用いられる、このような形式の公知のシェル形のソフトグリップエレメント（ドイツ連邦共和国特許出願公開第１９７０３７４６号明細書）は、機械ハウジングにワンピースに一体成形されたハンドグリップの後側の部分に設けられた、ハンマドリルを用いた作業時にオペレータのための押圧面として働くハンドグリップ壁に装着されている。このソフトグリップエレメントは２つの固定個所を介してハンドグリップに結合されている。一方の固定個所はスナップ結合部として形成されており、このスナップ結合部では、シェルボディに一体成形された係止フック付の舌片が、ハンドグリップ壁に設けられた突出部に背後から係合する。他方の固定個所は、シェルボディから離れる方向でかつ押圧方向に対して直交する横方向に突出した結合片と、機械ハウジングに設けられた、相応して横方向に延びる収容開口とを有しており、この結合片と収容開口とは互いに対応し合っている。
米国特許第５２１３９１３号明細書に基づき公知の手持ち式工作機械では、グリップ強度を改善するためにハンドグリップが刻み目を備えている。この公知のハンドグリップはソフトグリップエレメントを有していない。
米国特許第４９５３８６２号明細書に開示されている工具ハンドグリップもしくはスポーツ器具ハンドグリップでは、ハンドグリップの、軟弾性材料から成る被覆体に複数の凹部が設けられているが、これらの凹部は部分的にしか被覆体に侵入していない。
【０００３】
発明の利点
請求項１の特徴部に記載の特徴を有する本発明によるソフトグリップエレメントには、次のような利点がある。すなわち、グリップ面範囲に設けられた窪み状の凹部により、ハンドグリップを握る手の下に空気溜めが形成され、この空気溜めが手持ち式電動工作機械を用いた作業時における手の湿りを十分に減少させるか、あるいは少なくとも著しく遅延させるので、当該手持ち式電動工作機械は従来よりも著しく長い時間、中断なしに確実に保持され得るようになる。
【０００４】
請求項２以下に記載の手段により、請求項１に記載のソフトグリップエレメントの有利な改良が可能になる。
【０００５】
本発明の有利な構成では、前記凹部のうちの少なくとも一部の凹部の底部に、被覆体とシェルボディとを貫通したそれぞれ１つの貫通孔が設けられている。これらの貫通孔によって、手のひらの下で空気循環が生ぜしめられ、このような空気循環により、湿分および手汗が導出される。この効果は、オペレータもしくは使用者が手持ち式電動工作機械を用いた作業時に押圧力を無意識に連続的に変化させることによって一層増幅される。これにより、軟弾性的な被覆体には、前記貫通孔を通じて行われる空気循環を助成する一種のポンプ作用が生ぜしめられる。
【０００６】
本発明の別の有利な構成では、前記貫通孔が、シェルボディで被覆体の軟弾性的な材料によってライニングされており、前記貫通孔のうちの少なくとも一部の貫通孔に設けられたこれらの材料ライニングが、有利にはシェルボディの表面を超えてつば状に突出している。これらの材料つばでシェルボディはハンドグリップに載置されている。このような構造的な手段により、ソフトグリップエレメントはいわばフローティング式にハンドグリップに保持され、これによって前記ポンプ効果も著しく増幅される。
【０００７】
ポンプ効果を一層向上させるために、本発明のさらに別の有利な構成では、シェルボディとハンドグリップとの間に、通気性材料（ａｔｍｕｎｇｓａｋｔｉｖ．Ｍａｔｅｒｉａｌ）から成る層が配置されており、この層に、シェルボディに形成された材料つばが支持されている。通気性の層はその空気透過性を維持するために交換可能に形成され、かつ交換部分として市販される。
【０００８】
実施例の説明
図１には、手持ち式電動工作機械、たとえばハンマドリル（打撃穿孔装置）の機械ハウジング１０の一部が側面図で図示されている。この機械ハウジング１０には、ハンドグリップ１１が付設されているか、またはこの場合のように一体にピストルグリップの形式で一体成形されている。機械ハウジング１０とハンドグリップ１１とは、周知のように２つのシェルから構成されている。ハンドグリップ１１には、駆動モータをオンオフ切換するためのスイッチが設けられている。このスイッチはハンドグリップ１１の前面に突設されたプッシュボタン１２を介して制御可能である。ハンドグリップ１１の自由端部には、接続ケーブル１４のためのゴムから成る補強スリーブまたは補強短管１３が固定されている。ハンドグリップ１１のピストルグリップに似た形状は、使用者にとって工具進行方向への押圧力の付与を可能にし、この場合、押圧面としてはハンドグリップ１１の後面が使用される。ハンドグリップ１１のこの部分には、ソフトグリップエレメント１５が装着される。このソフトグリップエレメント１５はスナップ結合部または係止結合部もしくはロック結合部として形成された２つの固定個所１６，１７を介して機械ハウジング１０もしくはハンドグリップ１１に着脱可能に固定されている。
【０００９】
特に図３から判るように、ソフトグリップエレメント１５は、ハンドグリップ１１の後面の範囲でハンドグリップ壁１１１に載置されるプラスチック製の剛性的なシェルボディ１８と、軟弾性的な材料から製造された被覆体１９とから成っている。この被覆体１９はシェルボディ１８の、ハンドグリップ１１とは反対の側の後面を完全にカバーしている。被覆体１９の、外方に向けられた露出した自由表面には、多数の凹部２０が含まれている。これらの凹部２０は被覆体１９の表面にわたって均一に分配されて配置されている。この場合、これらの凹部２０は被覆体１９に凹面状の球冠、つまりざる底球面状の凹部または窪みとして形成されている。
【００１０】
図４に示した変化実施例では、被覆体１９に設けられた複数の凹部２０のうちの一部の凹部の底部に、被覆体１９とシェルボディ１８とを貫通したそれぞれ１つの貫通孔２１が設けられている。これらの貫通孔２１はシェルボディ１８の範囲では、被覆体１９の軟弾性的な材料でライニングされている。図４に示した実施例では、同一の横断平面に位置する５つの凹部２０のうち、真ん中の凹部２０と、この真ん中の凹部２０に隣接した両側の凹部２０とが各１つの貫通孔２１を有しており、それに対して外側の２つの凹部２０は貫通孔を備えていない。これらの貫通孔２１は、ハンドグリップを握る使用者の手のひらの下で凹部２０内に存在する空気溜め（Ｌｕｆｔｄｅｐｏｔ）の空気循環を可能にし、このような空気循環は湿分や手汗を良好に導出する。
【００１１】
図５に横断面で示しかつ図６にその一部を拡大して図示したソフトグリップエレメント１５では、ソフトグリップエレメント１５の「フローティング式」または「浮動式」の支承が実現されている。このためには、貫通孔２１に設けられた材料ライニングが、シェルボディ１８の表面を超えてつば状に突出するように設計されている。これらの材料つば１９１によって、シェルボディ１８はハンドグリップ１１のハンドグリップ壁１１１に支持され、この場合、ハンドグリップ１１とシェルボディ１８との間には、さらに通気性材料（ａｔｍｕｎｇｓａｋｔｉｖ．Ｍａｔｅｒｉａｌ）から成る層２２が配置されている。この層２２は交換可能に形成されているので、ハンドグリップ１１からソフトグリップエレメント１５を取り外した後に前記層２２をハンドグリップ壁１１１から引き剥がして、新しい層２２と交換することができる。シェルボディ１８のフローティング式の支承と、通気性の層２２とによって、当該手持ち式電動工作機械を用いた作業時に手のひらの下に存在するエアクッションの空気循環が改善されるので、改善された湿分導出が保証されている。
【００１２】
図４に示した実施例の場合と同様に、図５および図６に示した実施例においても、前記貫通孔２１は複数の凹部２０のうちの一部の凹部２０にしか設けられていない。ただし、図４に示した実施例とは異なり、図５および図６に示した実施例では、凹部２０が複数の波谷部２３によって形成されている。これらの波谷部２３は波山部２４と交互に被覆体１９に加工成形されており、この場合、各波谷部２３は被覆体１９の長手方向および長手方向に対して直交する横方向において、それぞれ２つの波山部２４の間に埋め込まれている。これらの波谷部２３と波山部２４とにより描かれた曲線は、ほぼ正弦曲線に近い形状を有している。
【００１３】
多くの手持ち式電動工作機械、たとえば「センタハンドグリップ」と呼ばれる補助ハンドルを備えたような手持ち式電動工作機械では、高められた押圧力を工具に付与するために、機械ハウジングの後面がオペレータ（使用者）によって押圧面としても利用される。このような使用事例のためには、有利には機械ハウジングの後面にもソフトグリップエレメントを装備することが考えられる。図７には、本発明のさらに別の実施例による手持ち式電動工作機械のハンドグリップ１１を備えた機械ハウジング１０の一部が図示されている。この実施例では、ソフトグリップエレメント１５をハンドグリップ１１に装着する（図７の下側の部分）と共に、機械ハウジング１０の後面にも、キャップ形のソフトグリップエレメント１５′を装着することができる（図７の上側の部分）。前で説明したソフトグリップエレメント１５と同様に、両ソフトグリップエレメント１５，１５′もハンドグリップ１１もしくは機械ハウジング１０に２つのロック個所もしくは固定個所１６，１７でロックされる（図８および図１０）。図８および図１０に示した断面図から判るように、各ソフトグリップエレメント１５；１５′は、ロック個所１６，１７を保持したプラスチック製の剛性的なシェルボディ１８と、軟弾性的な材料から製作された被覆体１９とから成っている。この被覆体１９はシェルボディ１８の、ハンドグリップ１１もしくは機械ハウジング１０とは反対の側の後面を完全にカバーしている。図４に示した実施例の場合と同様に、被覆体１９の、外方に向けられた露出した自由表面には、多数の凹部２０が含まれている。これらの凹部２０は被覆体１９の表面にわたって均一に分配されて配置されており、これらの凹部２０の底部には、それぞれ被覆体１９とシェルボディ１８とを貫通した貫通孔２１が設けられている。図１〜図６に示したソフトグリップエレメントに関して記載した種々の利点は、同様に機械ハウジング１０の後面に設けられたソフトグリップエレメント１５′においても、ハンドグリップ１１の後面に設けられたソフトグリップエレメント１５においても、得られる。
【図面の簡単な説明】
【図１】  手持ち式電動工作機械の機械ハウジングのためのハンドグリップと、このハンドグリップから引き剥がされたソフトグリップエレメントとを示す側面図である。
【図２】  図１に示したソフトグリップエレメントを図１の矢印ＩＩの方向で見た図である。
【図３】  図２のＩＩＩ−ＩＩＩ線に沿って断面した図である。
【図４】  本発明の別の実施例によるソフトグリップエレメントを示す、図３と同様の断面図である。
【図５】  本発明のさらに別の実施例によるソフトグリップエレメントを示す、図３と同様の断面図である。
【図６】  図５のＶＩで示した区分の拡大図である。
【図７】  ハンドグリップを備えた手持ち式電動工作機械の機械ハウジングと、このハンドグリップと機械ハウジングとから引き剥がされたソフトグリップエレメントとを示す側面図である。
【図８】  図７で見て上側のソフトグリップエレメントの縦断面図である。
【図９】  図７の矢印ＩＸの方向で見た上側のソフトグリップエレメントの概略図である。
【図１０】  図７で見て下側のソフトグリップエレメントの縦断面図である。
【図１１】  図７の矢印ＸＩの方向で見た下側のソフトグリップエレメントの概略図である。
【図１２】  図７の矢印ＸＩＩの方向で見た下側のソフトグリップエレメントの概略図である。
【符号の説明】
１０  機械ハウジング、１１  ハンドグリップ、１２  プッシュボタン、１３  補強スリーブまたは補強短管、１４  接続ケーブル、１５，１５′  ソフトグリップエレメント、１６，１７  固定個所、１８  シェルボディ、１９  被覆体、２０  凹部、２１  貫通孔、２２  層、２３  波谷部、２４  波山部、１１１  ハンドグリップ壁、１９１  材料つば
【図１】
0004593795.tif 000002
【図２】
0004593795.tif 000003
【図３】
0004593795.tif 000004
【図４】
0004593795.tif 000005
【図５】
0004593795.tif 000006
【図６】
0004593795.tif 000007
【図７】
0004593795.tif 000008
【図８】
0004593795.tif 000009
【図９】
0004593795.tif 000010
【図１０】
0004593795.tif 000011
【図１１】
0004593795.tif 000012
【図１２】
0004593795.tif 000013